(57)【特許請求の範囲】
【請求項１】
対物レンズとレンズホルダを含む対物レンズ可動部と、上記対物レンズ可動部をワイヤ部材によって片持ち支持する対物レンズ固定部材と、上記レンズホルダの側面に装着されたフォーカスコイル及びトラッキングコイルと、上記対物レンズ可動部の両側に設けられた１対のマグネットと、該マグネットを支持するヨークベースと、を有し、上記対物レンズ可動部、上記１対のマグネット、及び、上記対物レンズ固定部材が光ディスクの円周方向に沿って１列に配置された対物レンズ駆動装置において、
上記対物レンズ固定部材は上記ヨークベースに形成された２枚の支持板の間に挟まれた状態にて支持され、上記レンズホルダの上記マグネットに対面する面には、曲面が形成され、上記２枚の支持板の間に挟まれた状態にて上記対物レンズ固定部材の位置及び姿勢を調整することにより上記対物レンズ可動部の位置調整を行うことができるように構成されていることを特徴とする対物レンズ駆動装置。
【請求項２】
対物レンズとレンズホルダを含む対物レンズ可動部と、上記対物レンズ可動部をワイヤ部材によって片持ち支持する対物レンズ固定部材と、上記レンズホルダの側面に装着されたフォーカスコイル及びトラッキングコイルと、上記対物レンズ可動部の両側に設けられた１対のマグネットと、該マグネットを支持するヨークベースと、を有し、上記対物レンズ可動部、上記１対のマグネット、及び、上記対物レンズ固定部材が光ディスクの円周方向に沿って１列に配置された対物レンズ駆動装置において、
上記対物レンズ固定部材は上記ヨークベースに形成された２枚の支持板の間に挟まれた状態にて支持され、上記レンズホルダの上記マグネットに対面する面には、上記ヨークベースに近づくに従って上記マグネットから離れるようなテーパ面が形成され、上記２枚の支持板の間に挟まれた状態にて上記対物レンズ固定部材の位置及び姿勢を調整することにより上記対物レンズ可動部の位置調整を行うことができるように構成されていることを特徴とする対物レンズ駆動装置。
【請求項３】
請求項２記載の対物レンズ駆動装置において、上記レンズホルダの上記マグネットに対面する面には、上記マグネットに平行な面と上記マグネットに対して傾斜したテーパ面を有することを特徴とする対物レンズ駆動装置。
【請求項４】
対物レンズとレンズホルダを含む対物レンズ可動部と、上記対物レンズ可動部をワイヤ部材によって片持ち支持する対物レンズ固定部材と、上記レンズホルダの側面に装着されたフォーカスコイル及びトラッキングコイルと、上記対物レンズ可動部の両側に設けられた１対のマグネットと、該マグネットを支持するヨークベースと、を有し、上記対物レンズ可動部、上記１対のマグネット、及び、上記対物レンズ固定部材が光ディスクの円周方向に沿って１列に配置された対物レンズ駆動装置と、
半導体レーザ光源と、該半導体レーザからのレーザ光を平行光に成形するコリメータレンズと、光ディスクから戻ってきたレーザ光を検出する光検出器とを有する筐体部材と、を有し、該筐体部材上に上記対物レンズ駆動装置が装着された光ピックアップにおいて、
上記対物レンズ固定部材は上記筐体部材に形成された２枚の支持板の間に挟まれた状態にて支持され、上記レンズホルダの上記マグネットに対面する面は曲面が形成され、上記２枚の支持板の間に挟まれた状態にて上記対物レンズ固定部材の位置及び姿勢を調整することにより上記対物レンズ可動部の位置調整を行うことができるように構成されていることを特徴とする光ピックアップ。
【請求項５】
対物レンズとレンズホルダを含む対物レンズ可動部と、上記対物レンズ可動部をワイヤ部材によって片持ち支持する対物レンズ固定部材と、上記レンズホルダの側面に装着されたフォーカスコイル及びトラッキングコイルと、上記対物レンズ可動部の両側に設けられた１対のマグネットと、該マグネットを支持するヨークベースと、を有し、上記対物レンズ可動部、上記１対のマグネット、及び、上記対物レンズ固定部材が光ディスクの円周方向に沿って１列に配置された対物レンズ駆動装置と、
半導体レーザ光源と、該半導体レーザからのレーザ光を平行光に成形するコリメータレンズと、光ディスクから戻ってきたレーザ光を検出する光検出器とを有する筐体部材と、を有し、該筐体部材上に上記対物レンズ駆動装置が装着された光ピックアップにおいて、
上記対物レンズ固定部材は上記筐体部材に形成された２枚の支持板の間に挟まれた状態にて支持され、上記レンズホルダの上記マグネットに対面する面には、上記ヨークベースに近づくに従って上記マグネットから離れるようなテーパ面が形成され、上記２枚の支持板の間に挟まれた状態にて上記対物レンズ固定部材の位置及び姿勢を調整することにより上記対物レンズ可動部の位置調整を行うことができるように構成されていることを特徴とする光ピックアップ。
【請求項６】
請求項５記載の光ピックアップにおいて、上記レンズホルダの上記マグネットに対面する面には、上記マグネットに平行な面と上記マグネットに対して傾斜したテーパ面を有することを特徴とする光ピックアップ。
【発明の詳細な説明】
【技術分野】
【０００１】
本発明は、光ディスクへ情報を記録再生する光ディスク装置の光ピックアップに搭載する対物レンズ駆動装置及び光ピックアップに関する。
【背景技術】
【０００２】
光ディスク装置を構成する光ピックアップは、光ディスクの情報記録面にレーザ光を投射して光ディスクのトラッキング方向やフォーカス方向に位置調整を行う対物レンズ駆動装置と、レーザ光源や光受光素子およびレーザ光を入反射するミラーやレンズなどの光学部品を配置した筐体部材とを有する。対物レンズ駆動装置は、筐体部材内に搭載したレーザ光源からのレーザ光を対物レンズに導いて光ディスクに投射し、かつ光ディスクからの反射光を光受光素子に導くように、筐体部材の所定位置に設置される。
【０００３】
光ディスクへ情報を正確に記録再生するためには、対物レンズから出射したレーザ光が光ディスクの記録再生面に対して垂直に照射される必要がある。レーザ光が光ディスクの記録再生面に対して傾斜して照射されると、コマ収差が発生し、レーザ光の集光性能が低下する。それによって、光ディスクからの反射光に振幅低下およびノイズ発生が生ずる。それにより、再生信号の劣化や記録エラーが起きる。このため、対物レンズから出射するレーザ光が光ディスクの記録再生面に垂直に照射されるように、対物レンズを含む対物レンズ駆動装置全体をピックアップケースに取り付けるときに傾き調整を行う。
【０００４】
傾き調整を行うには、まず筐体部材のヨークベース取り付け面からヨークベースを浮かせ、この状態で対物レンズ駆動装置全体を傾かせて所定の傾き位置に調整する。傾き調整した後、筐体部材とヨークベースの間に、例えば紫外線硬化型の接着剤を数箇所に塗布して、接着剤を硬化させて対物レンズ駆動装置を固着し、対物レンズの傾き調整を完了させる。
【０００５】
特許文献1には従来の対物レンズ駆動装置の例が開示されている。この従来技術では、光ディスクにレーザ光を収束して照射する対物レンズをレンズホルダで保持し、このレンズホルダを弾性支持材によってベース基板及びワイヤーベースで支持する。レンズホルダには対物レンズ以外に、フォーカスコイル、トラッキングコイル、チルトコイルがそれぞれ配置されている。ベース基板及びワイヤーベースは、マグネットを含む磁気回路の一部が形成されたヨークベースに取り付けられ、これらヨークベースを支持固定部としてレンズホルダを弾性支持材で片持ち式に支持する。このヨークベースによって支持されている対物レンズ駆動装置は、図示されてはいないが、レーザ光源や光受光素子およびレーザ光を入反射するミラーやレンズなどの光学部品を配置した筐体部材の所定位置に設置され、光ピックアップとして構成される。
【０００６】
【特許文献１】特開２００３−１７３５５６号公報
【発明の開示】
【発明が解決しようとする課題】
【０００７】
特許文献１による対物レンズ駆動装置の場合、対物レンズが設置される反対側の面、つまりヨークベースの下面を筐体部材に取り付けることによって、光ピックアップが構成される。
【０００８】
しかしながら、このような構成の場合、ヨークベースは対物レンズの傾き調整によって傾いて筐体部材に取り付けられることになるため、接着剤の厚みや塗布バランスが塗布位置によって異なることになる。このため、例えば環境温度の変化によって接着剤の熱変形量が不均等になり、対物レンズ駆動装置全体が傾き変化を起こすことになる。これによって、対物レンズから出射したレーザ光が光ディスクの記録再生面に垂直に投射しなくなり、光ディスクに投射するレーザ光の集光性能が低下し、再生信号の劣化や記録エラーの問題を引き起こすこととなる。
【０００９】
また、対物レンズ駆動装置を傾き調整して筐体部材に取り付けるため、ヨークベースと筐体部材との間にはすき間が生じることとなる。このすき間が大きい場合には、例えば衝撃試験によってヨークベースを取り付けている接着剤がダメージを受けて対物レンズ駆動装置全体が位置ずれを起こすことにもなる。
【００１０】
これらの問題を解消するための方法として、例えば対物レンズ駆動装置のヨークベースをあらかじめ筐体部材に取り付けておき、次にレンズホルダを弾性支持材で片持ち支持したワイヤーベースとベース基板をヨークベースに設置する方法がある。この方法は、ヨークベースを筐体部材に傾きやすき間をなくした状態で取り付けることが可能である。よって、環境温度変化や衝撃試験で対物レンズ駆動装置全体が傾き変化を起こすことがなくなる。
【００１１】
しかしながら、この方法には幾つかの問題がある。例えば、対物レンズを備えたレンズホルダは、弾性支持材を通してワイヤーベースとベース基板に片持ち支持された状態でヨークベースに組み込まれるが、レンズホルダの位置調整や組み込みには高い精度が要求される。つまり、良好な対物レンズ駆動特性を得、かつ光ディスクの情報を正確に記録再生するには、レンズホルダに形成されたフォーカスコイル、トラッキングコイル、チルトコイルのそれぞれが、ヨークベースに設置されたマグネットに対して、均等な間隔になるように、上下方向、左右方向、前後方向、タンジェンシャル方向、トラッキング方向、回転方向の6軸の位置調整を行わなければならない。これらの位置調整はレンズホルダを弾性支持材で片持ち支持したワイヤーベースで行う。
【００１２】
ここで言う上下方向は光ディスクの記録再生面に対して垂直な方向、左右方向及びトラッキング方向は光ディスクの記録再生トラックを横切る方向、前後方向及びタンジェンシャル方向は光ディスクの記録再生トラックと平行な方向、回転方向は光ディスクの記録再生面の面内回転方向である。
【００１３】
特許文献１の構成では、ヨークベースの上面にワイヤーベースを設置する構成であるため、コイルとマグネットの間隔を均等にするための左右調整や前後調整及び回転調整は、ヨークベース上面の面内で位置調整することで対応できる。しかし、上下方向やタンジェンシャル方向及びトラッキング方向の調整は、ワイヤーベースをヨークベース上面から離して調整することになり、その間には接合するための接着剤が充填されることになる。対物レンズの駆動特性において、フォーカス性能は駆動感度を必要とするため、コイルとマグネットの上下方向の位置関係に大きく影響する。このため、前にも述べたが環境温度の変化による接着剤の熱変形や接着剤硬化時の硬化収縮によって、コイルとマグネットが上下方向に位置ずれを起こした場合には、対物レンズのフォーカス性能が低下することになる。さらに、タンジェンシャル方向及びトラッキング方向に調整された場合には、ワイヤーベースとヨークベースの間に接着剤が不均等に充填されるため、環境温度の変化によって対物レンズが傾き変化を起こし、これによって対物レンズから出射したレーザ光が光ディスクの記録再生面に垂直に投射しなくなるという問題も引き起こす。
【００１４】
また、レーザ光を光ディスクの記録再生面に垂直に投射するためには、対物レンズをタンジェンシャル方向やトラッキング方向に調整する必要がある。特にタンジェンシャル方向の調整は、レンズホルダを挟むように両側にマグネットが配置されているため、タンジェンシャル方向の調整量が大きい場合には、コイルとマグネットの間隔が上下左右で不均等になり、場合によってはレンズホルダのコーナとマグネットが接触することになる。コイルとマグネットの間隔が不均等になると、磁気回路の感度特性に差が生じ、結果として対物レンズのフォーカス性能が悪化するという問題が起きることになる。また、接触を避けるためには、コイルとマグネットの間隔を広くすることで解決できるが、対物レンズ駆動特性の低下を招くことになる。
【００１５】
本発明の目的は、対物レンズ可動部の位置調整を容易に行うことができ、且つ、コイルとマグネットの間隔を均等に保持することができる対物レンズ駆動装置及び光ピックアップを提供することにある。
【課題を解決するための手段】
【００１６】
本発明によると、対物レンズ可動部、１対のマグネット、及び、対物レンズ固定部材が光ディスクの円周方向に沿って１列に配置された対物レンズ駆動装置において、対物レンズ固定部材はヨークベースに形成された２枚の支持板の間に挟まれた状態にて支持され、又は、筐体部材に形成された２枚の支持板の間に挟まれた状態で支持されている。
【００１７】
レンズホルダのマグネットに対面する面は曲面、テーパ面が形成されている。
【発明の効果】
【００１８】
本発明によれば、対物レンズ可動部の位置調整を容易に行うことができ、且つ、コイルとマグネットの間隔を均等に保持することができる。
【発明を実施するための最良の形態】
【００１９】
以下、本発明の実施例を図１から図８により説明する。なお、各図においては、煩雑を避けるために一部の接合部材や接着部などの図示を適宜省略している。尚、以下の図において、光ディスクの円周方向を前後方向又はタンジェンシャル方向Ｔ、光ディスクの半径方向を左右方向又はトラッキング方向Ｒとする。上下方向は光ディスクの記録再生面に対して垂直な方向、上側は光ディスクに向かう方向、下側は光ディスクより離れる方向である。
【００２０】
図１及び図２に本発明の対物レンズ駆動装置の第１の例の構造を示す。図１において、本例の対物レンズ駆動装置１００は、対物レンズ１、対物レンズ１を保持するレンズホルダ２、レンズホルダ２の両側面に装着された６本のワイヤ部材４、ワイヤ部材４の他方の端部を支持する対物レンズ固定部材５を有する。対物レンズ１とレンズホルダ２によって対物レンズ可動部３が構成されている。レンズホルダ２には凹部形状のワイヤ支持部１３が装着され、このワイヤ支持部１３の凹部にワイヤ部材４が半田（図示せず）によって接合されている。こうして、対物レンズ可動部３は、片側３本の合計６本のワイヤ部材４によって片持ち支持されている。
【００２１】
対物レンズ固定部材５は支持板１４に挟まれるように装着されている。支持板１４は、プレス成形によってヨークベース６より衝立形状に形成されたものである。対物レンズ固定部材５には接着剤（図示せず）によって基板９が接着されている。
【００２２】
対物レンズ駆動装置１００は、更に、１対のマグネット７、及び、マグネットを支持する１対のマグネット支持部８を有する。マグネット支持部８は、プレス成形によってヨークベース６より衝立形状に形成されたものである。
【００２３】
レンズホルダ２の横側面には、トラッキングコイル１１とフォーカスコイル１２が装着されている。トラッキングコイル１１は、フォーカスコイル１２の上に巻き枠体（図示せず）に巻き付けた状態で、マグネット７と対面する側面に装着されている。ここでは、片側２個の合計４個のトラッキングコイル１１が用いられている。
【００２４】
フォーカスコイル１２は、レンズホルダ２の横側面に直接巻かれており、ワイヤ支持部１３の間に配置されている。ここでは、２段のフォーカスコイル１２が形成されている。フォーカスコイル１２及びトラッキングコイル１１は、ワイヤ支持部１３を介してワイヤ部材４に電気的に接続されている。
【００２５】
ヨークベース６は磁性金属部材で形成されており、ヨークベース６、マグネット支持部８、マグネット７、フォーカスコイル１２及びトラッキングコイル１１によって磁気回路が形成される。この磁気回路を利用して、対物レンズ可動部３は駆動される。
【００２６】
本例によると、トラッキングコイル１１を取り付けるレンズホルダ２の側面は、曲率を有するように曲面１０として構成されている。この曲面１０に沿ってトラッキングコイル１１を配置している。この曲面１０の作用については後に説明する。
【００２７】
図２は、図１の対物レンズ駆動装置を下方から見た斜視図である。図２では、基板９の図示を省略している。対物レンズ固定部材５には貫通孔１５が設けられ、この貫通孔１５よりワイヤ部材４が突出している。貫通孔１５より突出したワイヤ部材４の端部は、基板９（図１）に形成された配線と電気的に接続されている。
【００２８】
対物レンズ固定部材５の下面には、磁性金属板３２が装着されている。この磁性金属板３２は、対物レンズ固定部材５の凹部に嵌め込むように装着されている。
【００２９】
レンズホルダ２の内部は、半導体レーザ光源からのレーザ光を対物レンズ１に導くために中空構造３０になっている。こうして中空構造３０とすることにより、対物レンズ可動部３が軽量化され、フォーカス及びトラッキング性能を向上させることができる。
【００３０】
ヨークベース６よりマグネット支持部８を衝立状に形成することにより、開口部３３が形成されている。この開口部３３を介して、半導体レーザ光源からのレーザ光が対物レンズ１に導かれる。ヨークベース６の対物レンズ固定部材５が設置される部分は、切り取られたように開口部３１となっている。
【００３１】
図３は図１の対物レンズ駆動装置１００の構造を概略的に示したものである。図３は、対物レンズ１の光軸が光ディスクの記録再生面に直交するように対物レンズ可動部３が配置された状態を示す。対物レンズ可動部３の位置調整は、対物レンズ１の光軸を光ディスクの記録再生面に直交させるために行う。対物レンズ可動部３の位置調整は、対物レンズ固定部材５の位置を調節することにより行う。対物レンズ固定部５は２つの支持板１４の間に挟まれているため、上下方向及び前後方向（タンジェンシャル方向）の調整量は大きいが、左右方向（トラッキング方向）の調整量は小さい。
【００３２】
対物レンズ可動部３の位置調整では、フォーカスコイル１２及びトラッキングコイル１１とマグネット７の間隔を均等になるように対物レンズ固定部５の位置及び姿勢を調節する。
【００３３】
マグネット７に対面するレンズホルダ２の横側面は、所定の曲率を有する曲面１０である。マグネット７とレンズホルダ２の曲面１０の間隔は、マグネット７の中央部よりも上下端の部分にて広くなっている。フォーカスコイル１２は、マグネット７とレンズホルダ２の曲面１０の間隔が一番狭くなる部分から離れた、間隔がやや広くなる部分に形成されている。上側のフォーカスコイル１２とマグネット７の間隔aと下側のフォーカスコイル１２とマグネット７の間隔ｂが等しくなるように調整する。
【００３４】
図４は、対物レンズ１の光軸が光ディスクの記録再生面の法線に対して傾斜するように対物レンズ可動部３が配置された状態を示す。対物レンズ１の光軸が光ディスクの記録再生面の法線となす角をθとする。傾斜角θは２度以下である。対物レンズ固定部５をヨークベース６の支持板１４の間でスライドさせながら、上下方向及び前後方向（タンジェンシャル方向）に移動させる。それによって、レンズホルダ２は上下方向及び前後方向（タンジェンシャル方向）に移動する。レンズホルダ２の横側面は曲面１０を有するため、マグネット７とレンズホルダ２の曲面１０の間隔の変化量は極めて少ない。従って、上側のフォーカスコイル１２とマグネット７の間隔ａ’と下側のフォーカスコイル１２とマグネット７の間隔b’は略等しい。こうして本例では、対物レンズ可動部３の位置調整を行い、対物レンズ１の光軸が光ディスクの記録再生面の法線に対して傾斜しても、マグネット７とフォーカスコイル１２及びトラッキングコイル１１の間隔の変化量を小さくすることができる。
【００３５】
また、レンズホルダ２の横側面を曲面１０とすることにより、マグネット７とレンズホルダ２の間隔は５０〜２００ｕｍ程度まで狭めることができる。こうして、マグネット７とレンズホルダ２の間隔を小さくすることにより、磁気回路の感度特性が向上し、対物レンズ可動部３の感度特性や応答特性を向上させることができる。
【００３６】
図５を参照して、レンズホルダ２の他の例を説明する。ここでは、対物レンズ可動部３、マグネット７、マグネット支持部８及びヨークベース６のみを示し、他の部分の図示は省略している。本例では、レンズホルダ２の横側面は平坦部１０ａと下側のテーパ部１０ｂからなる。平坦部１０ａには平坦なトラッキングコイル１１が装着されている。テーパ部１０ｂは、レンズホルダ２の下端を面取りしたものである。図５（ａ）は、対物レンズ１の光軸が光ディスクの記録再生面に直交するようにレンズホルダ２が配置された状態を示す。図５（ｂ）は、対物レンズ１の光軸が光ディスクの記録再生面の法線に対して傾斜するようにレンズホルダ２が配置された状態を示す。即ち、対物レンズ可動部３の位置調整を行った結果、対物レンズ１の光軸が光ディスクの記録再生面の法線に対して傾斜したものである。本例では、レンズホルダ２の横側面はテーパ部１０ｂを有するから、マグネット７とレンズホルダ２の接触又はマグネット７とコイルの接触を防止することができる。特に、対物レンズ可動部３の位置調整において、回転中心が、対物レンズ可動部３の上部側にある場合には、対物レンズ可動部３の下半分は大きく振れ、その移動量は下方に行くに従って大きくなる。このような場合でも、本例のレンズホルダ２の横側面はテーパ部１０ｂを有するから、レンズホルダ２がマグネット７と接触することが回避される。
【００３７】
図６を参照して、レンズホルダ２の更に他の例を説明する。ここでは、対物レンズ可動部３、マグネット７、マグネット支持部８及びヨークベース６のみを示し、他の部分の図示は省略している。本例では、レンズホルダ２の横側面はテーパ部１０ｃからなる。このテーパ部１０ｃには平坦なトラッキングコイル１１が装着されている。図６（ａ）は、対物レンズ１の光軸が光ディスクの記録再生面に直交するようにレンズホルダ２が配置された状態を示す。図６（ｂ）は、対物レンズ１の光軸が光ディスクの記録再生面の法線に対して傾斜するようにレンズホルダ２が配置された状態を示す。即ち、対物レンズ可動部３の位置調整を行った結果、対物レンズ１の光軸が光ディスクの記録再生面の法線に対して傾斜したものである。本例では、レンズホルダ２の横側面はテーパ部１０ｃを有するため、マグネット７とレンズホルダ２の接触又はマグネット７とコイルの接触を防止することができる。特に、対物レンズ可動部３の位置調整において、回転中心が、対物レンズ可動部３の上部側にある場合には、対物レンズ可動部３の下半分は大きく振れ、その移動量は下方に行くに従って大きくなる。このような場合でも、本例のレンズホルダ２の横側面はテーパ部１０ｃを有するから、レンズホルダ２がマグネット７に接触又は衝突することが回避される。
【００３８】
図７は、図１の対物レンズ駆動装置１００を筐体部材１６に装着することによって構成された光ピックアップ２００を示している。光ピックアップ２００の筐体部材１６は、ダイカスト成形が可能な金属部材で形成しており、ここでは、例えば亜鉛ダイカストで形成している。筐体部材１６には、主軸側に、光ディスクドライブ装置のシャフトが挿入するための軸受け孔１８が設けられ、副軸側にはカギ状のシャフト受け１９が形成されている。
【００３９】
筐体部材１６の内部には、半導体レーザ２６と、この半導体レーザ２６から出射したレーザ光２４を成形するビーム成形用レンズ２０と、レーザ光２４を０次成分光と１次成分光に分離する回折格子２１と、光ディスク２５に対して垂直にレーザ光２４を光路変更する立上げミラー２２と、レーザ光２４を平行光に成形するコリメータレンズ２３が装着されている。また、筐体内部１６には、図示はしていないが、光ディスク２５から反射光として戻ってきたレーザ光２４を反射・透過するハーフミラーと、光ディスク２５の情報信号を読み取り、かつフォーカス及びトラッキングの制御を行うための光検出器が設けられている。
【００４０】
対物レンズ駆動装置１００を筐体部材１６に組み込む手順を説明する。先ず、ヨークベース６を筐体部材１６の所定位置に接着剤２８で固定する。このとき、ヨークベース６をできるだけ正確に隙間が生じないように、装着する。ヨークベース６を正しい位置に装着することにより、後の対物レンズ可動部３の位置調整が簡単となる。次に、ヨークベース６の支持板１４の間に、ワイヤ部材４で支持された対物レンズ可動部３を有する対物レンズ固定部材５を装着する。次に、対物レンズ固定部材５を移動させることにより対物レンズ可動部３の位置及び姿勢の調整を行う。対物レンズ１から出射するレーザ光２４が光ディスク２５の記録再生面に垂直に投射するように、対物レンズ固定部材５をヨークベース６の支持板１４の間でスライドさせながら、移動させる。位置調整が終わると、対物レンズ固定部材５を接着剤で固定する。
【００４１】
対物レンズ可動部３の位置調整は、対物レンズ固定部５を治具で保持することにより、精度良く且つ簡単に行うことができる。治具は、対物レンズ固定部５へ容易かつ確実に着脱することができる構造が望ましい。治具は、対物レンズ固定部５に装着した磁性金属板３２と協働するように構成されている。例えば、治具に設けられた電磁石によって磁性金属板３２を吸着することにより、対物レンズ固定部５を保持し、対物レンズ可動部３の位置調整を行う。位置調整と接着固定が完了した後、電磁石を解除することで治具を対物レンズ固定部５から離脱できる。
【００４２】
図８は、光ピックアップ２００の他の例を示す。本例では、ヨークベース６に支持板１４を設ける代わりに、筐体部材１６に支持板２９を設けた。それ以外は、図７の例と同様である。対物レンズ駆動装置１００を筐体部材１６に組み込む手順を説明する。先ず、ヨークベース６を筐体部材１６の所定位置に接着剤２８で固定する。次に、筐体部材１６の支持板２９の間に、ワイヤ部材４で支持された対物レンズ可動部３を有する対物レンズ固定部材５を装着する。
【００４３】
次に、対物レンズ固定部材５を移動させることにより対物レンズ可動部３の位置及び姿勢の調整を行う。対物レンズ１から出射するレーザ光２４が光ディスク２５の記録再生面に垂直に投射するように、対物レンズ固定部材５を筐体部材１６に支持板２９の間でスライドさせながら、移動させる。位置調整が終わると、対物レンズ固定部材５を接着剤で固定する。
【００４４】
以上のように、本発明の例によると、ヨークベース６を筐体部材１６に取り付けて、このヨークベース６に形成した衝立状の支持板１４の間に対物レンズ固定部材５を挟み込むように支持する。対物レンズ固定部材５を移動させることにより、対物レンズ可動部３を上下方向、タンジェンシャル方向、及び、トラッキング方向に容易に位置調整することができる。これにより、対物レンズ可動部３に形成したフォーカスコイル１２とトラッキングコイル１１を、マグネット７に対して均等な間隔で、かつ適正な位置に調整することができ、良好な対物レンズ駆動特性を得ることができる。
【００４５】
マグネット７と対向する対物レンズ可動部３の側面を曲面１０あるいはテーパ部１０ｂ、１０ｃに形成することで、対物レンズ可動部３を上下方向に調整した場合でも、対物レンズ可動部３のコイル１１、１２とマグネット７の間隔を均等に保つことができる。これにより、コイル１１、１２とマグネット７の接触を防ぐことができると同時に、コイル１１、１２とマグネット７の間隔を狭めることが可能になり、フォーカス性能の感度特性の向上を図ることができる。
【００４６】
また、対物レンズ可動部３の位置調整を容易に行えるから、ヨークベース６をあらかじめ筐体部材１６に取り付けて置くことが可能になる。これにより、ヨークベース６を傾きや隙間が無いように取り付けることが可能になる。そのため、環境温度の変化や衝撃試験によってヨークベース６が傾き変化を起こすことがなくなり、良好な対物レンズ駆動特性を得ることができる。
【００４７】
また、衝立状の支持板１４によって対物レンズ固定部材５の両側面を挟み込むように支持するため、対物レンズ固定部材５の側面を固定する接着剤の充填量が異なり、且つ、環境温度の変化が生じた場合でも、左右の位置ずれ量を無視できる程度に小さく抑えることができる。つまり、対物レンズ１が位置ずれの影響を受ける方向はタンジェンシャル方向やトラッキング方向であるが、接着剤の膨張・収縮によって熱変形する方向はタンジェンシャル方向やトラッキング方向ではない。よって、対物レンズ可動部３の位置ずれを抑制することができ、対物レンズ１から出射するレーザ光２４を安定して光ディスク２５の記録再生面に垂直に投射することができる。
【００４８】
また、本発明の他の例によると、ヨークベース６を筐体部材１６に取り付けて、筐体部材１６に形成した衝立状の支持板２９の間に対物レンズ固定部材５を挟み込むように支持する。こうして、対物レンズ可動部３の位置調整を容易に行うことができる。すなわち、ヨークベース６が筐体部材１６にずれて搭載されても、対物レンズ固定部材５を、衝立状の支持板２９の間に挟んだ状態で移動させることができる。従って、マグネット７に対してフォーカスコイル１２とトラッキングコイル１１を適正な位置に調整することができ、これにより良好な対物レンズ駆動特性を得ることができる。また衝立状の支持板２９を筐体部材１６に形成するため、ヨークベース６に衝立状の支持板１４を形成する必要はない。そのため、ヨークベース６の小型・軽量化、製造の簡略化、それにともなうコスト低減を図ることができる。
【００４９】
以上のように、本発明によると、対物レンズ固定部材５を両側から支持板１４、２９によって挟み込むように支持するため、対物レンズ可動部３の位置調整が容易となり、対物レンズ可動部３の側面に曲面１０あるいはテーパ部１０ｂ、１０ｃを設けることにより、対物レンズ可動部３が傾いて調整されてもコイル１１、１２とマグネット７が接触することなく、両者の間隔を均等に保つことができる。さらに、光ディスク２５の記録再生面に対してレーザ光２４を垂直に投射することができ、トラッキング及びフォーカス動作を行う対物レンズ駆動性能を向上させた対物レンズ駆動装置を得ることができる。
【００５０】
本発明は、光ディスクの記録再生機器に組み込まれる光ピックアップの対物レンズ駆動装置に利用できる。
【００５１】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００５２】
【図１】本発明の対物レンズ駆動装置の全体構造を表す斜視図である。
【図２】本発明の対物レンズ駆動装置を下から見た斜視図である。
【図３】図１の対物レンズ駆動装置の傾き調整の構造を表す縦断面図である。
【図４】図１の対物レンズ駆動装置の傾き調整の構造を表す縦断面図である。
【図５】本発明の対物レンズ駆動装置の対物レンズ可動部の第２の例の構造を表す側面図である。
【図６】本発明の対物レンズ駆動装置の対物レンズ可動部の第３の例の構造を表す側面図である。
【図７】本発明の光ピックアップの第１の例の一部断面構造を表す縦断面図である。
【図８】本発明の光ピックアップの第２の例の一部断面構造を表す縦断面図である。
【符号の説明】
【００５３】
１…対物レンズ、２…レンズホルダ、３…対物レンズ可動部、４…ワイヤ、５…対物レンズ固定部材、６…ヨークベース、７…マグネット、８…マグネット支持部、９…基板、１０…曲面、１０a…平坦部、１０ｂ…テーパ部、１０ｃ…テーパ部、１１…トラッキングコイル、１２…フォーカスコイル、１３…ワイヤ支持部、１４…支持板、１５…貫通孔、１６…筐体部材、１７…主軸、２０…ビーム成形レンズ、２１…回折格子、２２…立上げミラー、２３…コリメータレンズ、２４…レーザ光、２５…光ディスク、２６…半導体レーザ、２７…ガイド、２８…接着剤、２９…支持板、３０…中空部、３１…開口部、３２…磁性金属板、３３…開口部、１００…対物レンズ駆動装置、２００…光ピックアップ
【図１】
0004486019.tif 000002
【図２】
0004486019.tif 000003
【図３】
0004486019.tif 000004
【図４】
0004486019.tif 000005
【図５】
0004486019.tif 000006
【図６】
0004486019.tif 000007
【図７】
0004486019.tif 000008
【図８】
0004486019.tif 000009